(57)【要約】【課題】本発明は家庭内で常時手の届く範囲内にあって、緊急時には直ちに利用できる壁飾りシートや食卓におけるランチョンマットなどとしてのシートについて常時は、表側を利用し、地域情報を参照したい際には同シートを裏返して直ちに利用できるようにした家庭用地域情報付きシートを提供することを課題とする。【解決手段】ランチョンマットとしてのシート１の表面には模様や絵などが施されるが、同シート１の裏面１ｂには、家庭用地域情報としての地図２や電話番号一覧表３が記載されている。【選択図】  図２
2008096941.tif 000002
【特許請求の範囲】
【請求項１】
一般家庭の建物内の壁部やテーブルの表面に沿い備えられるシートにおいて、同シートの裏面に、上記建物の存在する地域の地図と、同地域を管轄する公的機関，同地域における医療施設および商店街を表示した生活のための電話番号一覧表とが設けられていることを特徴とする、家庭用地域情報付きシート。
【請求項２】
上記の地図および電話番号一覧表が、コンパクトディスクとして上記シートの裏面に着脱可能に設けられていることを特徴とする、請求項１に記載の家庭用地域情報付きシート。
【発明の詳細な説明】
【技術分野】
【０００１】
本発明は、一般家庭の建物内の壁部における装飾用シートやリビングルームにおける接客用テーブルのテーブルセンターあるいは食卓用ランチョンマットなどとして用いられる家庭用シートに関し、特に家庭の周囲の地域情報が得られるようにした家庭用地域情報付きシートに関する。
【背景技術】
【０００２】
一般に家庭用地域情報を得る手段としては、都市部の区役所などで発行する「くらしの便利帳」などが知られており、一般家庭での生活に役立つ刊行物として用いられているが、かなりの厚さの冊子として保管されるため、急に歯が痛くなったり子供が発熱したりした緊急の際には、すぐに手元で利用しにくいという不具合がある。
【０００３】
そこで、食卓で用いられるランチョンマットのごときシートに広告情報を表示したものなどが開発されているが、広告表示だけでは特殊な分野についての局部的な情報にとどまり、新築マンションなどに引越して来たばかりの家庭にとっては利便性に乏しいという不具合がある。
【特許文献１】実用新案登録第３０８７７１４号公報
【発明の開示】
【発明が解決しようとする課題】
【０００４】
本発明は家庭内で常時手の届く範囲内にあって、緊急時には直ちに利用できる壁飾りシートや食卓におけるランチョンマットなどとしてのシートについて、常時は表側を利用し、地域情報を参照したい際には同シートを裏返して直ちに利用できるようにした家庭用地域情報付きシートを提供することを課題とする。
【課題を解決するための手段】
【０００５】
本発明の家庭用地域情報付きシートは、一般家庭の建物内の壁部やテーブルの表面に沿い備えられるシートにおいて、同シートの裏面に、上記建物の存在する地域の地図と、同地域を管轄する公的機関，同地域における医療施設および商店街を表示した生活のための電話番号一覧表とが設けられていることを特徴としている。
【０００６】
また、本発明の家庭用地域情報付きシートは、上記の地図および電話番号一覧表が、コンパクトディスクとして上記シートの裏面に着脱可能に設けられていることを特徴としている。
【発明の効果】
【０００７】
上述の本発明の家庭用地域情報付きシートでは、一般家庭の建物内で壁部の表面に沿い装飾用として設けられたりテーブルセンターやランチョンマットとして頻繁に用いられたりする布製やプラスチック製のシートの裏面に、印刷物などとして又は直接印刷を施すことなどにより、上記建物の存在する地域の地図と、同地図に示された公的機関や医療施設および商店街を表示した生活のための電話番号一覧表とが設けられるので、その地域における一般家庭の住民にとっては同シートを家庭内に常備することにより生活上の利便性が著しく高められるようになる。
【０００８】
特に新築マンションに転居してきた住民に対しては、同マンションの管理室にて本発明の家庭用地域情報付きシートを配布することにより、生活上の安心感が得られるほか、警察署や交番の配置を認識することにより防犯上の対策をたてやすくなる利点も得られるようになる。
【０００９】
そして、上記の地図や電話番号一覧表が、上記シートの裏側に設けられることにより、常時は上記シートの表側の優美な色彩や模様を楽しむことができ、来客に対する体裁も整えられるようになる。
【００１０】
また、上記シートは、書籍のように書棚にしまっておくものではなく、常時使用されるものであるから、しまいなくすことは無く、緊急の際にも直ちに利用することができる。
【００１１】
さらに、上記の地図および電話一覧表が、コンパクトディスクとして、壁飾りなどに用いられる上記シートの裏面に着脱可能に設けられている場合は、記録されるデータの量が著しく増加して、地域の範囲を拡大することができ、前記の利便性も大幅に高められるようになる。
【実施例１】
【００１２】
図１は本発明の実施例１としての家庭用地域情報付きシートの表面を示す平面図、図２は図１の裏面を示す平面図である。
【００１３】
図１に示すように、所要の地域におけるマンション等の建物内に居住する家族が、家庭内で接客用のテーブルセンターとしてまたは食卓用のランチョンマットとして用いるのに適したシート１の表面１ａに、風景画や幾何学模様のごとき装飾が施されている。なお、シート１の表面１ａは、無地として適宜の色を有するものでもよい。
【００１４】
図２に示すように、シート１の裏面１ｂには、前記地域の地図２が施されており、また同地図２に示された地域を管轄する公的機関としての警察署や消防署，医療施設としての病院や歯科医院および商店街における各商店や飲食店のほか、郵便局などが、印刷により示されている。
【００１５】
また、地図２に示された上記の諸施設の電話番号一覧表３も、シート１の裏面１ｂに記載されている。
【００１６】
なお、シート１の材質が紙や薄いプラスチックの場合は、同シート１への地図２や電話番号一覧表３の印刷が直接行われるが、同シート１が布製の場合や厚手の材質の場合には、地図２および電話番号一覧表３を印刷した紙などの薄手のものをシート１へ貼り合わせるようにしてもよい。
【００１７】
上述の実施例１としてのシート１は、一般家庭の建物内でテーブルセンターやランチョンマットとして頻繁に用いられるものであるから、しまいなくすことは無く、必要に応じて直ちに同シートを裏返して病院や歯科医院などの所在地および電話番号を確認することができ、その家庭の建物の所在する地点の周囲の地域情報により、多くの利便性を得ることができる。
【００１８】
特に、新築マンションに転居してきたばかりの多くの住民にとっては、同マンションの管理室から渡されたシート１の裏面における地域情報は大いに役立つものであり、公的機関などの記載を参照することにより、転居に伴う所要の手続きを遅滞なく行うことが可能になる。
【実施例２】
【００１９】
図３は本発明の実施例２としての家庭用地域情報付きシートの表面を示す正面図、図４は図３の家庭用地域情報付きシートの裏面を示す背面図である。
この実施例２では、図３に示すように、壁飾り用シート１１が建物内の壁面にピン２２により留められるようになっており、同シート１１の表面には図示のごとき風景などが画かれている。
【００２０】
シート１１の裏面には、実施例１のシート１と同様に図２に示す地域情報が印刷または貼り付けにより記載されてもよいが、本実施例ではシート１１の裏面にポケット１３が設けられて、同ポケット１３の上部開口１３ａを通じコンパクトディスク１４が同ポケット１３内へ挿入されている。
【００２１】
そして、コンパクトディスク１４には図２に示す地図２や電話番号一覧表３が記録されている。
【００２２】
上述の実施例２では、地図および電話番号一覧表として記録されるデータの量が著しく増加して、地域の範囲を拡大することができ、このようにして得られる利便性も大幅に高められるようになる。
【図面の簡単な説明】
【００２３】
【図１】本発明の実施例１としての家庭用地域情報付きシートの表面を示す平面図である。
【図２】図１の家庭用地域情報付きシートの裏面を示す平面図である。
【図３】本発明の実施例２としての家庭用地域情報付きシートの表面を示す正面図である。
【図４】図３の家庭用地域情報付きシートの背面図である。
【符号の説明】
【００２４】
１  シート
１ａ  シートの表面
１ｂ  シートの裏面
２  地図
３  電話番号一覧表
１１  壁飾り用シート
１３  ポケット
１３ａ  上部開口
１４  コンパクトディスク
２２  ピン
【図１】
2008096941.tif 000003
【図２】
2008096941.tif 000004
【図３】
2008096941.tif 000005
【図４】
2008096941.tif 000006